(57)【要約】【課題】  研磨装置にて磨かれたメダルをメダル払出し装置から払出すことが出来ると共に研磨装置が着脱自在のため汚れや故障した際、容易に交換（修復）することが出来る回胴式遊技機を提供する。【解決手段】回胴式遊技機において、メダル払出し装置には、メダル投入口から投入されたメダルを磨く整列搬送駆動部と磨き部とから成る研磨装置が備えられ、該研磨装置が上記メダル払出し装置の上方に着脱自在に取付けられている、構成とした。【選択図】      図４
2005237728.tif 000002
【特許請求の範囲】
【請求項１】
内部に図柄等を施した回胴リール装置と制御装置とメダル払出し装置とを設け、外部にメダル投入口と、上記回胴リール装置を開始させる操作部及び停止させる操作部とを備えた回胴式遊技機において、
上記メダル払出し装置には、上記メダル投入口から投入されたメダルを磨く整列搬送駆動部と磨き部とから成る研磨装置が備えられ、該研磨装置が上記メダル払出し装置の上方に着脱自在に取付けられている、構成としたことを特徴とする回胴式遊技機。
【発明の詳細な説明】
【技術分野】
【０００１】
本発明は、メダルを使用して遊技する回胴式遊技機に関り、特に回胴式遊技機の内部に設けたメダル払出し装置にメダルを磨く研磨装置が備えられ、該研磨装置がメダル払出し装置の上方に着脱自在に取付けられている、回胴式遊技機に関する。
【背景技術】
【０００２】
通常、パチンコ遊技店は、複数台１５台乃至２０台程度の遊技機と遊技媒体貸出機とを隣接して直線状に列設（背中合わせの横方向）させた遊技島が構築されている。上記遊技島（パチスロ島）がメダルにて遊技する遊技機（回胴式遊技機）であれば、隣接する遊技媒体貸出機は、メダル貸出機が配設されることになる。
【０００３】
回胴式遊技機は、筐体の内部に図柄等を施した回胴リール装置と制御装置とメダル払出し装置とが設けられ、筐体の外部にメダル投入口と上記回胴リール装置を開始させる操作部（スタートレバー）及び停止させる複数個の操作部（ストップボタン）とから構成されている。
遊技者がメダル投入口にメダルを投入すると、投入されたメダル枚数に応じて回胴リール装置のリールが回胴し、回転中の図柄等を揃うように操作（ストップ操作）する。筐体の外部の下方には、当たり等で払出されたメダルを一時貯留するための下受皿が設けられている。遊技中に大当たりが生じるとメダル払出し装置からこの下受皿にメダルが払出される。
【０００４】
遊技者は、メダル貸出機又は回胴式遊技機から払出されたメダルにて遊技を行うが、手でメダルを投入して行うため、メダルに手垢が付着してしまう。下受皿に払出されるメダルは、メダル投入口から投入したメダルがメダル払出し装置内に貯留する。このメダルは計数機等に持ち出さない限り、循環していることになる。そのため、磨かれたメダルをメダル払出し装置に補充してもメダルの表面が次第に汚れ、遊技者の手が汚れるため不快感を与えていた。
そこで、回胴式遊技機の内部のメダル払出し装置（コイン送出装置）にメダルを清掃（除去）する清掃部材を送出口（開口部）に備えたものが下記の文献にて開示されている。
この文献における清掃部材は、ブラシ状から成るポリプロピレンやナイロン等の合成樹脂製繊維の材料から成している。
【特許文献１】特開２００３−２３３８５０号公報
【発明の開示】
【発明が解決しようとする課題】
【０００５】
しかしながら、開口部付近に清掃部材を設けたメダル払出し装置においては、該清掃部材にてメダルの表面に付着した手垢等の汚れの一部分が除去出来る反面、メダル払出し装置から払出されるメダルの枚数は多く、次第に清掃の機能が低下してくる。
つまり、頻繁に開口部をメダルが通過していくため、次第にブラシが抜け落ちてしまったり、ブラシが短くなってしまったりする。その結果、汚れたままのメダルが払出されてしまっていた。
さらにブラシに接触するように間隔で開口部に取付けられているため、メダル詰まりが生じてしまい払出しトラブルが生じていた。
【０００６】
本発明は、以上の点に鑑みなされたもので、その目的とするところは、確実に研磨装置にて磨かれたメダルをメダル払出し装置から払出すことが出来ると共に、該研磨装置が着脱自在に取付けられているため汚れにより機能が低下した場合や、故障した際も容易に交換（修復）することが出来る、回胴式遊技機を提供する。
【課題を解決するための手段】
【０００７】
本発明の構成は、内部に図柄等を施した回胴リール装置と制御装置とメダル払出し装置とを設け、外部にメダル投入口と、上記回胴リール装置を開始させる操作部及び停止させる操作部とを備えた回胴式遊技機において、
上記メダル払出し装置には、上記メダル投入口から投入されたメダルを磨く整列搬送駆動部と磨き部とから成る研磨装置が備えられ、該研磨装置が上記メダル払出し装置の上方に着脱自在に取付けられている、構成としたことによって達成される。
【発明の効果】
【０００８】
本発明の構成によれば、メダル払出し装置の上方にメダルを磨く研磨装置が備えられているため、投入時、汚れが付着したメダルをメダル投入口から投入しても研磨装置にて確実に研磨され、研磨後のメダルが貯留されることになる。よって、大当たり時においては遊技者に常に綺麗なメダルを払出すことが出来、手が汚れず、不快感を与えることがない。
また、研磨装置がメダル払出し装置の上方に着脱自在に取付けられているため、研磨する機能が低下（研磨装置の磨き部が汚れ）した時、研磨装置を容易な作業で交換することが出来、また研磨装置が故障しても交換して修復することが出来る。
【発明を実施するための最良の形態】
【０００９】
以下、図面に示した実施形態を詳細に説明する。図１は回胴式遊技機が配設された遊技島の斜視図であり、図２は本発明の回胴式遊技機の外観を示す斜視図であり、図３は内部の状態を示す外観断面図であり、図４は本発明のメダル払出し装置に研磨装置を取付けた状態を示す側面図であり、図５はメダル払出し装置から研磨装置を取外した状態を示す斜視図である。
【実施例１】
【００１０】
図１に示すように遊技島１（パチスロ島）には、複数台のメダル貸出機３と回胴式遊技機１０とが隣接して配設されている。ここでのメダル貸出機３は上部に投入口５ａを設けた投入部５と、内部にメダル払出し装置（不図示）を備えたメダル貸出本体部３ａとが別体で構成されている。投入部５の内部には紙幣識別装置（不図示）が備えられ、投入された貨幣の正偽、金種を識別している。識別後の貨幣は紙幣搬送装置７（紙幣搬送ユニット）にて島端の紙幣収納装置８に搬送され回収整列される。なお、各紙幣搬送装置７の前面には呼び出しランプ６が取付けられている。
遊技者が遊技するにあたってメダル貸出機３の投入口５ａに貨幣を投入すると、紙幣識別装置にて識別され、正と識別されるとメダル払出し装置からメダル払出し口３ｂにメダルが払出される。なお、偽と識別すると返却される。
【００１１】
次に、回胴式遊技機の構成について説明する。
通常形態の回胴式遊技機１０は、筐体１０ａの内部に図柄等を施した回胴リール装置と制御装置（共に不図示）とメダル払出し装置１１とが設けられ、筐体１０ａの外部にメダル投入口１０ｃと、上記回胴リール装置を開始させる操作部１０ｄ（スタートレバー）及び停止させる複数個の操作部１０ｅ（ストップボタン）とから構成されている。
回胴式遊技機１０は、遊技者がメダル投入口１０ｃにメダルを投入すると、投入されたメダル枚数に応じて回胴リール装置のリールが回胴し、回転中の図柄等を揃うように操作部１０ｅ（ストップ操作）する。筐体の外部の下方には、当たり等で払出されたメダルを一時貯留する下受皿１０ｆが設けられている。遊技中にて大当たりが生じるとメダル払出し装置１１からこの下受皿１０ｆにメダルが払出される。なお、メダル払出し装置１１内には約２５００枚程度のメダルが貯留するようになっていて、貯留枚数が少なくなると（要求信号に応じて）補充される。
【００１２】
図３乃至図４に示すように、本発明の回胴式遊技機１０は上述した通常形態とは下記する点で異なる構成が備えられている。
つまり、回胴式遊技機１０の内部に設けられたメダル払出し装置１１の上方に、メダルを磨く研磨装置１５が備えられ、メダル投入口１０ｃから投入され、セレクター１０ｇにて選別されたメダルが研磨装置１５で磨かれた後、メダル払出し装置１１内に貯留するように成している。上記した研磨装置１５がメダル払出し装置１１の上方に着脱自在に取付けられている点である。なお、図５はメダル払出し装置１１から研磨装置１５を取外した時の状態である。
【００１３】
研磨装置１５は、メダル払出し装置１１の上方の側壁１１ａに係止部１６（例えば係止具１６ａ等）によって着脱自在に取付けられている。
研磨装置１５は、案内口１５ａと整列搬送駆動部と磨き部１５ｅと排出口１５ｇとから大略構成されている。メダル投入口１０ｃから投入されたメダルを選別するセレクター１０ｇに連接して研磨装置１５の案内口１５ａが位置している。該案内口１５ａは整列搬送駆動部に導くように傾斜路１５ｂが形成されている。傾斜路１５ｂを流下してきたメダルは整列搬送駆動部にて一枚に整列され、搬送されていく。
【００１４】
整列搬送駆動部は、駆動モータ（不図示）により駆動する搬送ベルト１５ｄと整列ローラ１５ｃとから成している。この整列ローラ１５ｃに連接した位置に磨き部１５ｅが備えられている。
整列ローラ１５ｃは、円形から成り、搬送ベルト１５ｄから僅か（メダル一枚分の隙間）の位置に回転可能に軸支されている。搬送ベルト１５ｄは、プーリ（不図示）に巻回され駆動モータにより一方向に駆動する。なお、搬送ベルト１５ｄの表面にはメダルを移送するための凸部（不図示）が設けられ、該凸部によって排出口１５ｇ方向に送り出している。なお、布材から成る搬送ベルト１５ｄにすることにより後述する磨き部１５ｅとによってメダルの両面を磨くことも出来る。
磨き部１５ｅは、例えば布、綿材等から成り、搬送ベルト１５ｄから僅か（メダル一枚分弱の隙間）の位置に取付けることにより、メダルの表面（上面）が磨かれる。なお、磨き部１５ｅが汚れた場合、交換し易いように取り付け、取り外し可能と成っている。
なお、図示しないが整列ローラ１５ｃと磨き部１５ｅにはテンションバネ（不図示）が設けられ、該テンションバネにて付勢されているためメダルが詰ることがない。上記の説明においては、整列ローラ１５ｃと磨き部１５ｅとを連接して備える別部品としたが、磨き部材付きの整列ローラとしても良い。
【００１５】
上記磨き部１５ｅによってメダルの表面が磨かれたメダルは搬送ベルト１５ｄにて搬送され、開口した排出口１５ｇからメダル払出し装置１１内に導かれる。この排出口１５ｇには検知部１５ｆが設けられている。この検知部１５ｆは、通過するメダルの数量（枚数）を検知したり、排出口１５ｇ付近の詰まりを検知したりするために取付けられている。
【００１６】
本発明の回胴式遊技機１０においては、メダル投入口１０ｃに投入されたメダルはセレクター１０ｇで選別され、次いで研磨装置１５内へと導かれる。セレクター１０ｇから排出されたメダルは案内口１５ａから落下し、傾斜路１５ｂを流下して整列ローラ１５ｃによって一枚ずつ整列され、搬送ベルト１５ｄにて搬送される途中で磨き部１５ｅにて表面に付着した汚れが除去された後、排出口１５ｇからメダル払出し装置１１内に導かれ貯留する。よって、メダル投入口１０ｃから汚れが付着したメダルが投入されても研磨装置にて磨き、研磨済のメダルがメダル払出し装置１１から遊技者に払出すことにより、常に綺麗なメダルが払出され、手が汚れず、不快感を与えることがない。
【００１７】
研磨装置１５の磨き部１５ｅにてメダルを磨いていると次第に汚れてくる。磨き部１５ｅの交換時期の目安としては、検知部１５ｆで検知した通過枚数に応じて交換時期を算出したり、定期的（毎月１度）に交換したりする。
交換にあたっては、回胴式遊技機１０の前面扉１９ｂを開放し、メダル払出し装置１１の上方の側壁１１ａの係止部１６（係止具１６ａ等）を操作具にて外すと研磨装置１５を取外すことが出来る。このように、研磨装置１５が取外せることにより新しい磨き部１５ｅと容易に交換することが出来る。また、研磨装置１５の駆動モータ等が故障した場合においても新しい研磨装置と交換することも出来る。なお、上述においては研磨装置１５を取外す構成としたが、汚れた磨き部１５ｅのみ取外して交換するようにしても良い。
【００１８】
上記した研磨装置１５の構成、磨き部１５ｅの構成に限定されるものでなく、メダルの表面の汚れが除去出来るものであれば何でも良く、また研磨装置１５をメダル払出し装置１１の上方の側壁１１ａから操作具にて外す構成としたが、他の構成（例えば、係止具不要のワンタッチ着脱式等）としても良く、限定するものでない。
【図面の簡単な説明】
【００１９】
【図１】本発明の回胴式遊技機が配設された遊技島の斜視図である。
【図２】本発明の回胴式遊技機の外観を示す斜視図である。
【図３】内部の状態を示す外観断面図である。
【図４】本発明のメダル払出し装置に研磨装置を取付けた状態を示す側面図である。
【図５】メダル払出し装置から研磨装置を取外した状態を示す斜視図である。
【符号の説明】
【００２０】
３      遊技媒体貸出機（メダル貸出機）
１０    回胴式遊技機（スロットマシン）
１１    メダル払出し装置
１１ａ  側壁
１５    研磨装置
１５ａ  案内口
１５ｂ  傾斜路
１５ｃ  整列ローラ（整列搬送駆動部）
１５ｄ  搬送ベルト（整列搬送駆動部）
１５ｅ  磨き部
１５ｆ  検知部
１５ｇ  排出口
１６    係止部
【図１】
2005237728.tif 000003
【図２】
2005237728.tif 000004
【図４】
2005237728.tif 000005
【図５】
2005237728.tif 000006
【図３】
2005237728.tif 000007